(57)【特許請求の範囲】
【請求項１】
前端が開放された角筒状をなす本体部と、
前記本体部を構成する板部に連なり、前記本体部の外面に対して突出した形態の突起部と、
前記突起部を構成し、前記本体部の前記板部から前記外面と略直角に延出した板状基部と、
前記突起部を構成し、前記板状基部の突出端縁から略直角に延出して前記本体部の前記外面と対向するように配された板状対向部と、
前記板状対向部の後端縁から前記本体部の前記外面に向かって延出した形態の板状補強部とを備えている雌端子金具。
【請求項２】
前記板状補強部の延出端部が、前記本体部の前記外面に当接している請求項１記載の雌端子金具。
【請求項３】
前記本体部の前記外面には凹部が形成され、
前記板状補強部の延出端部が前記凹部の後端縁に対し前方から係止されている請求項２記載の雌端子金具。
【請求項４】
前記突起部を構成し、前記板状対向部の延出端部から前記本体部の前記外面に向かって延出した板状支持部を備え、
前記板状補強部の延出端部が、前記凹部における前記板状基部側の側縁部に係止されている請求項１〜請求項３のいずれか１項に記載の雌端子金具。
【請求項５】
前記板状補強部の延出端部には、前記凹部の前記側縁部を収容する切欠部が形成されている請求項４記載の雌端子金具。
【発明の詳細な説明】
【技術分野】
【０００１】
本発明は、雌端子金具に関するものである。
【背景技術】
【０００２】
特許文献１には、金属板材に曲げ加工等を施して成形された雌端子金具が開示されている。この雌端子金具は角筒状の本体部を有し、本体部の外周には突起状のスタビライザが形成されている。スタビライザは、雌端子金具がハウジングに対し不正な向きで挿入されるのを防止するための誤挿入防止機能を発揮する。
【先行技術文献】
【特許文献】
【０００３】
【特許文献１】特開２００５−００５１１０号公報
【発明の概要】
【発明が解決しようとする課題】
【０００４】
従来のスタビライザは、本体部を構成する板部の一部を叩き出すことによって形成されている。そのため、スタビライザの高さ寸法や幅寸法を大きくして、スタビライザの誤挿入防止機能を高めようとした場合、相対的にスタビライザを構成する板部の板厚が薄くなり、スタビライザの強度低下が懸念される。
【０００５】
本発明は上記のような事情に基づいて完成されたものであって、角筒状の本体部の外面から突出した突起部の強度を高めることを目的とする。
【課題を解決するための手段】
【０００６】
本発明は、
前端が開放された角筒状をなす本体部と、
前記本体部を構成する板部に連なり、前記本体部の外面に対して突出した形態の突起部と、
前記突起部を構成し、前記本体部の前記板部から前記外面と略直角に延出した板状基部と、
前記突起部を構成し、前記板状基部の突出端縁から略直角に延出して前記本体部の前記外面と対向するように配された板状対向部と、
前記板状対向部の後端縁から前記本体部の前記外面に向かって延出した形態の板状補強部とを備えているところに特徴を有する。
【発明の効果】
【０００７】
突起部に対し、板状対向部を本体部の外面側へ接近させるような外力が作用しても、板状補強部が本体部の外面に当接することにより、突起部の変形が防止される。
【図面の簡単な説明】
【０００８】
【図１】実施例１の雌端子金具の斜視図
【図２】雌端子金具の背面図
【図３】雌端子金具を上下反転させた状態の背面図
【図４】雌端子金具の正面図
【図５】雌端子金具の部分拡大平面図
【図６】図５のＸ−Ｘ線断面図
【図７】図５のＹ−Ｙ線断面図
【図８】雌端子金具の展開図
【図９】雌端子金具をハウジングに挿入した状態をあらわす断面図
【発明を実施するための形態】
【０００９】
（ａ）本発明は、前記板状補強部の延出端部が、前記本体部の前記外面に当接していてもよい。この構成によれば、突起部の変形を確実に防止することができる。
【００１０】
（ｂ）本発明は、（ａ）において、前記本体部の前記外面には凹部が形成され、前記板状補強部の延出端部が前記凹部の後端縁に対し前方から係止されていてもよい。この構成によれば、突起部の変形を、より確実に防止することができる。
【００１１】
（ｃ）本発明は、（ａ）又は（ｂ）において、前記突起部を構成し、前記板部から前記本体部の前記外面と略直角に延出して前記板状対向部の基端部に連なる板状基部と、前記突起部を構成し、前記板状対向部の延出端部から前記本体部の前記外面に向かって延出した板状支持部とを備え、前記板状補強部の延出端部が、前記凹部における前記板状基部側の側縁部に係止されていてもよい。この構成によれば、板状支持部に対し板状基部に接近させるような側方からの外力が作用しても、板状補強部の延出端部が凹部の側縁部に係止しているので、突起部の側方への変形を防止することができる。
【００１２】
（ｄ）本発明は、（ｃ）において、前記板状補強部の延出端部には、前記凹部の前記側縁部を収容する切欠部が形成されていてもよい。この構成によれば、凹部の側縁部と切欠部が重なる寸法分だけ、板状補強部を板状基部側へ拡幅できるので、板状補強部の補強性能が向上する。
【００１３】
＜実施例１＞
以下、本発明を具体化した実施例１を図１〜図９を参照して説明する。尚、以下の説明において、前後の方向については、図５，７，９における左方を前方と定義する。また、左右の方向については、図２，３，６にあらわれる向きを、そのまま左方、右方と定義する。
【００１４】
本実施例１の雌端子金具１０は、図９に示すように、ハウジング４０内に形成した端子収容室４１内に後方から挿入されるようになっている。端子収容室４１には、端子収容室４１に挿入された雌端子金具１０を抜止めするための弾性変形可能なランス４２が形成されている。雌端子金具１０が挿入される過程（半挿入状態）では、ランス４２が雌端子金具１０の突起部２１と干渉して弾性撓みする。そして、雌端子金具１０が正規挿入されると、ランス４２が、弾性復帰して突起部２１に係止し、この係止作用により、雌端子金具１０が抜止めされる。
【００１５】
端子収容室４１の後端部は、ハウジング４０の後面において端子挿入口４３として開口している。雌端子金具１０は端子挿入口４３を通過して端子収容室４１内に挿入される。端子挿入口４３の開口形状は、図２，３に示すように、概ね縦長の長方形をなす。詳細には、端子挿入口４３の幅寸法は、下端から高さ方向中央よりも少し上方の領域に至る範囲では一定の幅寸法であるのに対し、上端部では幅寸法が少し狭くなっている。また、端子挿入口４３の開口領域のうち上端部は、後述する突起部２１を進入させるための逃がし部４４となっている。逃がし部４４は、ハウジング４０後方から見て右側に片寄った配置となっている。この配置により、端子挿入口４３の開口縁部のうち逃がし部４４よりも左方の領域は、端子挿入口４３の内部へ突出した形態の干渉部４５となっている。
【００１６】
雌端子金具１０は、図８に示すように、所定形状に打ち抜いた金属板材１１に曲げ加工や叩き出し加工を施すことにより、所定の形状に成形したものである。雌端子金具１０は、全体として前後方向に細長い形状をなす。雌端子金具１０の前端部は、前端が開口された角筒状の本体部１２となっている。雌端子金具１０の後端部は、オープンバレル状の圧着部１３となっている。圧着部１３には、被覆電線（図示省略）が圧着により導通可能に固着されるようになっている。
【００１７】
本体部１２は、下板部１４と、下板部１４の左側縁から上方へ立ち上がる左側板部１５と、下板部１４の右側縁から立ち上がる右側板部１６（請求項に記載の板部）と、左側板部１５の上端縁から下板部１４と対向するように右方へ延出した上板部１７と、右側板部１６の上端縁から上板部１７の上面と対向するように延出した天板部１８とを備えている。本体部１２の内部には、図４に示すように、下板部１４の前端から折り返し状に延出した弾性接触片１９が収容されている。上板部１７には、その板厚寸法を殆ど変化させることなく下方（本体部１２の内側）へ叩き出した形態の受圧部２０が形成されている。受圧部２０の下面は、弾性接触片１９の上面と対向している。
【００１８】
本体部１２内には、その前方から雄端子金具（図示省略）のタブが挿入されるようになっている。本体部１２内に挿入されたタブは、その下面を弾性接触片１９によって上方へ押圧され、受圧部２０の下面に対し面接触するように押し付けられる。つまり、タブは、弾性接触片１９と受圧部２０との間で弾性的に挟み付けられる。これにより、雌端子金具１０と雄端子金具とが導通可能に接続される。
【００１９】
本体部１２には、端子収容室４１に対し上下反転等の不正な向きで挿入（図３を参照）されることを防止するための手段として、突起部２１が形成されている。この突起部２１は、雌端子金具１０の誤挿入防止機能だけでなく、上述のようにランス４２と係止することで雌端子金具１０を抜止めするための抜止め機能とを兼ね備えた多機能部位である。突起部２１は、天板部１８の一部を叩き出すことによって形成されている。この叩き出し加工を高精度で実行し、加工後の突起部２１にバリ等が発生しないようにするため、図８に示すように、天板部１８には、スリット２２と開口部２３と窓孔２４が形成されている。
【００２０】
次に、成形された突起部２１の形状を説明する。図６，７に示すように、突起部２１は、右側板部１６の上端縁から面一状に上方へ突出する板状基部２５と、板状基部２５の上端縁から略直角に左方へ延出した板状対向部２６と、板状対向部２６の左側縁から鈍角状に斜め下方へ延出した板状支持部２７と、前板部２８と、板状補強部２９とを備えて構成されている。板状基部２５と板状対向部２６と板状支持部２７は、いずれも平板状をなしている。前板部２８の側面視形状は、左右いずれか斜め上前方へ膨らむように湾曲した形状である。前板部２８は、板状対向部２６の前端縁と、板状支持部２７の前端縁と、天板部１８とに連なっている。
【００２１】
板状対向部２６の左右方向における形成領域は、本体部１２の右端から、本体部１２の左端よりも右側の位置（左右方向における略中央の位置）に至る範囲である。板状支持部２７の下端部は、本体部１２の左端よりも少し右側の位置（左右方向中央より少し左方の位置）に配されている。つまり、突起部２１の左右方向における形成範囲は、本体部１２の全幅のうち左右方向中央よりも右側へ片寄った領域であり、本体部１２の左右方向中央を含む領域である。
【００２２】
板状補強部２９は、板状対向部２６の後端縁から下方へ片持ち状に延出した形態である。板状補強部２９は、天板部１８のうち突起部２１が形成されていない領域の外面に対して略直角をなしている。板状補強部２９の左右両側縁は、突起部２１を構成する他の板部２５〜２８には連なっていない。左右方向における板状補強部２９の形成領域は、板状対向部２６の右端より少し左方（中央より）の位置から、本体部１２の左右方向略中央の位置（板状対向部２６の左端よりも少し右方の位置）に至る範囲である。図６に示すように、板状補強部２９の延出端部２９Ｅ（下端部）には、その右端部を切欠した形態の切欠部３０が形成されている。また、板状補強部２９の延出端部２９Ｅのうち切欠部３０の左側に隣接する領域は、正面形状が板状対向部２６に対して斜めをなす傾斜状当接部３１となっている。
【００２３】
突起部２１の叩き出し加工を考慮して形成した上記スリット２２は、板状支持部２７の延出端縁（下端縁）に沿うように前後方向に配されている。また、開口部２３は、板状基部２５の前端下端部と前板部２８の前端右端部とに臨む位置に配されている。窓孔２４は、平面視において突起部２１の後方に隣接するように配されている。窓孔２４の左右方向の開口領域は、突起部２１の形成領域とほぼ同じ範囲に亘っている。
【００２４】
また、上板部１７の上面のうち窓孔２４において外部に露出する領域は、本体部１２の外面１２Ｓとして定義される。本体部１２の外面１２Ｓを含む上板部１７の上面のうち、受圧部２０が形成されている領域は、凹部３２となっている。窓孔２４の左右方向における形成領域は、凹部３２の全幅を含む範囲である。また、窓孔２４の前後方向の開口領域は、凹部３２の後端部及び、本体部１２の外面１２Ｓのうち凹部３２よりも少し後方の領域と対応する範囲である。これにより、窓孔２４においては、凹部３２の後端部が全幅に亘って露出している。また、窓孔２４の開口領域の前端縁左端部には、スリット２２の後端部が連通している。
【００２５】
図６に示すように、凹部３２のうち左右方向における中央部は、下板部１４と平行で且つ板状補強部２９と略直角な平面となっている。また、凹部３２の左右両側縁部のうち右側縁部には、左方（板状基部２５とは反対方向）に面する係止部３３が形成されている。板状補強部２９の延出端部２９Ｅは、窓孔２４内及び凹部３２内に収容されている。凹部３２の右側縁部は、板状補強部２９の切欠部３０内に収容されている。切欠部３０のうち右方（板状基部２５側）に面する押圧部３４は、係止部３３に対し当接又は接近して対向している。
【００２６】
凹部３２のうち左右方向において係止部３３と隣接する領域は、傾斜状受け部３５となっている。傾斜状受け部３５には、板状補強部２９の傾斜状当接部３１が、上から線接触又は面接触するように当接している。そして、板状補強部２９の右側縁は、凹部３２の右側縁部（係止部３３）よりも右方に位置している。また、図５，７に示すように、凹部３２の後端部には、前方に向かって下り勾配となる傾斜状規制部３６が形成されている。傾斜状規制部３６には、板状補強部２９の延出端部２９Ｅが当接している。そして、板状補強部２９の左側縁は、凹部３２の左右方向略中央に位置している。
【００２７】
次に、本実施例１の作用を説明する。雌端子金具１０を正しい向きで端子挿入口４３に挿入すると、図２に示すように、突起部２１が逃がし部４４に収容されることにより、支障なく雌端子金具１０が端子収容室４１内に収容される。図９に示すように、正規挿入された雌端子金具１０は、突起部２１の板状補強部２９をランス４２に係止させることにより、抜止め状態に保持される。
【００２８】
また、図３に示すように、雌端子金具１０を上下反転させた不正な向きで端子挿入口４３に挿入しようとした場合には、突起部２１が端子挿入口４３の開口縁部に突き当たるので、雌端子金具１０を端子収容室４１に挿入することはできない。また、雌端子金具１０の向きが、正しい向きに対して反時計回り方向へ少し傾いている場合は、突起部２１が干渉部４５に突き当たるので、雌端子金具１０を端子収容室４１に挿入することはできない。また、雌端子金具１０が正しい向きに対して直角をなしている場合も、突起部２１が端子挿入口４３の開口縁部に突き当たるので、雌端子金具１０を端子収容室４１に挿入することはできない。このように、突起部２１は、雌端子金具１０の誤挿入防止機能を有している。
【００２９】
また、突起部２１は、本体部１２を構成する天板部１８の一部を叩き出すことによって形成されている。そのため、突起部２１の高さ寸法や幅寸法を大きくして、突起部２１による雌端子金具１０の誤挿入防止機能を高めようとした場合、相対的に突起部２１を構成する板部２５〜２８の板厚が薄くなり、突起部２１の強度低下が懸念される。その対策として、本実施例１の雌端子金具１０は、突起部２１に板状補強部２９を形成している。
【００３０】
したがって、突起部２１の前板部２８に対し前方から押圧力が作用しても、板状補強部２９の延出端部２９Ｅが凹部３２の後端部の傾斜状規制部３６に当接してるので、板状補強部２９が突っ張るような形態になる。したがって、突起部２１が後方へ傾くように変形する虞はない。板状対向部２６に対し上から押圧力が作用したときは、板状補強部２９の傾斜状当接部３１が凹部３２の傾斜状受け部３５に当接しているので、突起部２１が下方へ潰れるように変形する虞はない。板状支持部２７に対し左方から押圧力が作用したときは、板状補強部２９の押圧部３４が凹部３２の係止部３３に当接しているので、突起部２１が右方へ潰れたり傾いたりするような変形を来す虞はない。板状基部２５に対し右方から押圧力が作用したときは、板状補強部２９の傾斜状当接部３１が傾斜状受け部３５に当接しているので、突起部２１が左方へ傾くような変形を来す虞はない。
【００３１】
上述のように本実施例１の雌端子金具１０は、前端が開放された角筒状をなす本体部１２と、本体部１２を構成する右側板部１６に連なり、本体部１２の外面１２Ｓに対して突出した形態の突起部２１と、突起部２１を構成し、本体部１２の外面１２Ｓと対向するように配された板状対向部２６と、板状対向部２６の後端縁から本体部１２の外面１２Ｓに向かって延出した形態の板状補強部２９とを備えている。この構成によれば、突起部２１に対し、板状対向部２６を本体部１２の外面１２Ｓ側へ接近させるような外力が作用しても、板状補強部２９が本体部１２の外面１２Ｓに当接することにより、突起部２１の変形が防止される。
【００３２】
また、板状補強部２９の延出端部２９Ｅは、本体部１２の外面１２Ｓ（傾斜状受け部３５）に当接しているので、突起部２１の変形を確実に防止することができる。また、本体部１２の外面１２Ｓには凹部３２が形成されていて、板状補強部２９の延出端部２９Ｅが凹部３２の後端縁（傾斜状規制部３６）に対し前方から係止されているので、突起部２１の後方への変形を、より確実に防止することができる。
【００３３】
また、突起部２１は、右側板部１６から本体部１２の外面１２Ｓと略直角に延出して板状対向部２６の基端部に連なる板状基部２５と、板状対向部２６の延出端部から本体部１２の外面１２Ｓに向かって延出した板状支持部２７とを備えて構成されている。そして、板状補強部２９の延出端部２９Ｅは、凹部３２における板状基部２５側の側縁部に形成した係止部３３に係止されている。この構成によれば、板状支持部２７に対し板状基部２５に接近させるような左側方からの外力（押圧力）が作用しても、板状補強部２９の延出端部２９Ｅが係止部３３（凹部３２の側縁部）に係止しているので、突起部２１の右側方への変形を防止することができる。
【００３４】
また、板状補強部２９の延出端部２９Ｅには、凹部３２の側縁部を収容する切欠部３０が形成されている。この構成によれば、凹部３２の右側縁部と切欠部３０が重なる部分の寸法分だけ、板状補強部２９を板状基部２５側（右側）へ拡幅することが実現されている。これにより、板状補強部２９の強度が高められるので、板状補強部２９の補強性能も高められている。
【００３５】
＜他の実施例＞
本発明は上記記述及び図面によって説明した実施例１に限定されるものではなく、例えば次のような実施例も本発明の技術的範囲に含まれる。
（１）上記実施例１では、板状補強部の延出端部を本体部の前記外面に当接させたが、板状補強部の延出端は、本体部の外面に当接していなくてもよい。
（２）上記実施例１では、板状補強部の延出端部が凹部の後端縁に係止しているが、板状補強部の延出端部は、凹部のうち後端より前方の位置に当接させてもよい。
（３）上記実施例１では、板状補強部の延出端部が凹部の側縁部に係止しているが、板状補強部の延出端部は、凹部の側縁部に係止していなくてもよい。
（４）上記実施例１では、板状補強部の延出端部に、凹部の側縁部を収容する切欠部を形成したが、板状補強部の延出端部は、切欠部が形成されない形態であってもよい。
（５）上記実施例１では、本体部の外面に凹部を形成したが、本体部の外面に凹部が形成されていなくてもよい。
（６）上記実施例１では、突起部が、本体部の外面（上面）と略直角な板部（右側板部）から延出した形態であるが、突起部は、本体部の外面（上面）を構成する上板部から延出した形態であってもよい。
【符号の説明】
【００３６】
１０…雌端子金具
１２…本体部
１２Ｓ…本体部の外面
１６…右側板部（板部）
２１…突起部
２５…板状基部
２６…板状対向部
２７…板状支持部
２９…板状補強部
２９Ｅ…板状補強部の延出端部
３０…切欠部
３２…凹部
【図１】
0006540487.tif 000002
【図２】
0006540487.tif 000003
【図３】
0006540487.tif 000004
【図４】
0006540487.tif 000005
【図５】
0006540487.tif 000006
【図６】
0006540487.tif 000007
【図７】
0006540487.tif 000008
【図８】
0006540487.tif 000009
【図９】
0006540487.tif 000010